【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
均一に混合した氷片含有芳香飲料を自動的に繰り返し供給する装置において、
（ａ）芳香物質を入れる芳香物質容器（１２２）と、
（ｂ）混合容器（１６２）と混合機構（１６４）とを有する混合ユニット（１６０）と、
（ｃ）以下を含む氷片供給ユニット（１４０）と、
（ｃｉ）氷片（１３６）を生成する氷片生成装置（１３０）と、
（ｃｉｉ）氷片を入れる氷片容器（１４２／１４４）と、
（ｃｉｉｉ）氷片混合機構（１４６）と、
（ｃｉｖ）前記氷片供給ユニット（１４０）から前記混合容器（１６０）に、前記氷片（１３６）を移送する移送機構（１５０）と、
（ｄ）前記芳香物質を前記混合容器（１６２）に移送する機構（１２８／１２９）と、
（ｅ）前記氷片含有芳香飲料を生成するプロセスを制御する制御ユニット（１８０）と、
を有し、
前記氷片生成装置（１３０）は、均一な大きさの前記氷片（１３６）を生成し、
前記氷片混合機構（１４６）は、前記氷片容器（１４２／１４４）内の氷片（１３６）を所定の混合方法で混合し、
前記混合方法は、前記氷片（１３６）が前記氷片容器（１４２／１４４）にある時は、均一になるよう維持され、前記氷片容器（ｃｉｉ）の下側部分は前記氷片の均一混合物で満たされるよう行われ、
前記芳香物質を移送する機構（１２８／１２９）は、前記芳香物質を、前記芳香物質容器（１２２）から前記混合容器（１６２）に移送し、
前記混合機構（１６４）は、前記氷片供給ユニット（１４０）からの所定量の氷片（１３６）と、前記芳香物質容器（１２２）からの所定量の芳香物質とを混合して、氷片含有芳香飲料を生成し、
ことを特徴とする均一に混合した氷片含有芳香飲料を自動的に繰り返し供給する装置。
【請求項２】
（ｆ）元となる流体又は発泡水を供給する流体供給装置（１１０）と、
（ｇ）前記元となる流体又は発泡水を前記混合容器（１６２）に移送する機構（１１８）と、
を更に有し、
前記元となる流体又は発泡水を移送する機構（１１８）は、前記元となる流体又は発泡水を、前記流体供給装置（１１０）から前記混合容器（１６２）に移送し、
前記混合ユニット（１６０）は、前記氷片供給ユニット（１３０）からの所定量の氷片（１３６）と、前記芳香物質容器（１２２）からの所定量の芳香物質と、前記流体供給装置（１１０）からの所定量の元となる流体又は発泡水と、を混合して、氷片含有芳香飲料を生成する
ことを特徴とする請求項１記載の装置。
【請求項３】
（ｈ）温度制御されならが冷却されるハウジングを更に有し、
前記ハウジング内に、前記氷片供給ユニット（１４０）と前記混合ユニット（１６０）と前記芳香物質容器（１２２）と前記流体供給装置（１１０）とからなるグループから選択された要素が配置される
ことを特徴とする請求項２記載の装置。
【請求項４】
前記混合ユニット（１６０）は、回転機構（１６４）を有し、
前記回転機構（１６４）は、前記混合ユニット（１６０）を回転させる
ことを特徴とする請求項１記載の装置。
【請求項５】
前記氷片混合機構（１４６）は、
（ａ）２つの面と回転軸（１４１）を有する円板状の回転プレート（１４８）と、
（ｂ）前記プレート（１４８）の面に直交して伸びる円板用ロッド（１４７）と、
（ｃ）前記氷片の容器（１４２）の壁の内側表面に直交して伸びる壁用ロッド（１４３）と、
（ｄ）前記プレート（１４８）のリムから離れた位置の前記プレート（１４８）に形成される開口（１４９）と、
を有し、
前記開口（１４９）は、前記氷片（１３６）の一部を、前記プレート（１４８）の一方の側から他方の側に移動させ、
前記円板用ロッド（１４７）と壁用ロッド（１４３）は、様々な寸法を有し、、
前記回転機構は、前記回転プレート（１４８）を前記回転軸（１４１）の周りに周期的に両方向に回転させる
ことを特徴とする請求項１記載の装置。
【請求項６】
前記氷片容器（１４０／１４４）は、
（ａ）第１端と第２端を有する底部表面（１５６）と、
（ｂ）前記底部表面（１５６）の第１端に形成された第１開口と、
前記第１開口は、前記氷片容器（１４０／１４４）からの氷片３６）（１）の放出を行い、
（ｃ）前記底部表面（１５６）の第２端に形成された第２開口（１４８）と、
前記第２開口は、前記氷片容器（１４４）から溜まった水を放出し、
有し、
前記底部表面（１５６）の第１端は、前記第２端より高い位置にあり、
これにより、前記底部表面（１５６）に溜まった水が、重力により前記第２端に形成された第２開口（１５４）方向に流れる
ことを特徴とする請求項１記載の装置。
【請求項７】
前記氷片容器（１４２）は、前記底部表面（１５６）の第２端に形成された前記第２開口（１５４）から水を放出し、放出された水は、前記装置で再使用される
ことを特徴とする請求項６記載の装置。
【請求項８】
前記氷片容器（１４２）は、検知装置（１４５）を有し、
前記検知装置（１４５）が、前記氷片容器（１４２）内に溜まった氷片のレベルを検出する
ことを特徴とする請求項１記載の装置。
【請求項９】
（ｉ）保護カバー（３００）を更に有し、
前記保護カバー（３００）は、動作中の混合ユニット（１６０）の周りを保護する
前記保護カバー（３００）は、封止装置（３５０）を有し、
前記封止装置（３５０）は、混合状態位置にある混合ユニット（１６０）をシールする
ことを特徴とする請求項１記載の装置。
【請求項１０】
（ｊ）洗浄ユニット（１９０）を更に有し、
前記洗浄ユニット（１９０）は、前記混合容器（１６２）の内側表面を洗浄する
ことを特徴とする請求項１記載の装置。
【請求項１１】
（ｋ）前記芳香物質と前記元となる流体又は発泡水とを混合するミキシング・ユニットを更に有し、
これにより均一の流体混合物を生成し、
前記混合ユニット（１６０）は、所定量の氷片（１３６９）と所定量の流体混合物とを混合し、これにより氷片含有芳香飲料を生成する
ことを特徴とする請求項１記載の装置。
【請求項１２】
前記氷片を移送する機構（１５０）は、アルキメデス・スクリュー（１５０）を含む
ことを特徴とする請求項１記載の装置。
【請求項１３】
容器放出するユニット（１７５）とストロー放出ユニットからなるグループから選択されたユニット
を更に有する
ことを特徴とする請求項１記載の装置。
【請求項１４】
氷片含有芳香飲料を用意し放出する方法において、
（ａ）請求項１記載の氷片含有芳香飲料供給装置を用意するステップと、
（ｂ）氷片含有芳香飲料を選択するステップと、
（ｃ）前記混合ユニット（１６０）を受領状態位置に移動させるステップと、
前記受領状態位置に於いて、前記混合ユニット（１６０）は、前記芳香物質と氷片とを受領し、
（ｄ）前記芳香物質を前記混合ユニット（１６０）に移送するステップと、
（ｅ）前記氷片（１３６）を前記混合ユニット（１６０）に移送するステップと、
（ｆ）前記混合ユニット（１６０）を前記混合状態位置に移動させるステップと、
前記混合状態位置に於いては、前記混合ユニット（１６０）は、垂直方向に対し傾斜した位置にあり、
（ｇ）所定時間前記混合機構（１６４）を活性化し、前記氷片含有芳香飲料を生成するステップと、
（ｈ）前記氷片含有芳香飲料を分配するステップと、
を有する
ことを特徴とする氷片含有芳香飲料を用意し放出する方法。
【請求項１５】
前記氷片含有芳香飲料供給装置は、
元となる流体又は発泡水を供給する流体供給装置（１１０）と、
前記元となる流体又は発泡水を前記混合容器（１６２）に移送する機構（１１８）と、
容器放出するユニット（１７５）と
ストロー放出ユニットと、
前記混合ユニット（１６０）に連結された振動装置と、
カップ受領台に連結された振動装置と、
を有し、
（ｉ）前記元となる流体を、前記受領状態位置にある前記混合ユニット（１６０）に移送するステップと、
（ｊ）前記氷片混合機構（１４６）を動かして、前記氷片容器内で前記氷片を混合するステップと、
これにより、前記氷片容器内（１４２）に氷片（１３６）の均一混合物を保持する
（ｋ）前記（ｈ）ステップの前に、カップ（１７０）を前記容器放出ユニット（１７５）から放出させるステップと、
（ｌ）前記（ｈ）ステップの前に、ストローを前記ストロー放出ユニットから放出させるステップと、
（ｍ）前記混合ユニット（１６０）を、傾斜状態にある放出された前記カップ（１７０）を移動させるステップと、
前記（ｍ）ステップは、前記制御ユニット（１８０）により、前記氷片含有芳香飲料が前記の放出されたカップ内に所定の割合で注がれるよう制御され、
（ｎ）前記混合ユニット（１６０）に連結された振動装置を活性化するステップと、            前記（ｎ）ステップの間、前記氷片含有芳香飲料を流れ易くし、前記混合ユニット（１６０）は注ぐ状態に移動され、前記氷片含有芳香飲料が前記カップ（１７０）に注がれ、
（ｏ）前記カップ受領台に連結された振動装置を活性化するステップと、
前記（ｏ）ステップの間、放出された前記カップが振動し、前記氷片含有芳香飲料が前記カップ（１７０）に注がれながら、前記カップ内の前記氷片含有芳香飲料を均一に混合し、
（ｐ）前記氷片含有芳香飲料が前記カップ（１７０）に注がれた後、前記混合ユニット（１６０）を洗浄する為に、洗浄状態に移送するステップと、
を更に有する
ことを特徴とする請求項１４記載の方法。